(57)【要約】      （修正有）【課題】近距離無線通信の通信不良に起因する処理の遅滞の発生を回避することができる情報処理装置を提供する。【解決手段】ＭＦＰ１０１は、ＮＦＣタグ１０２を備え、ＮＦＣタグ１０２に近接された携帯端末１０３等とＮＦＣ通信を行う。ＮＦＣタグデータは、ＮＦＣ通信より高速な無線ＬＡＮ通信を行うための通信設定情報、例えば、ＭＦＰのＳＳＩＤ、ＰＡＳＳＫＥＹ、及びＩＰアドレスを含む。携帯端末１０３は、ＮＦＣ通信可能な装置であり、ＭＦＰ１０１からＮＦＣ通信によって通信設定情報を取得する際に電磁波を所定の間隔でＭＦＰ１０１に放射する。ＭＦＰ１０１は、携帯端末１０３が近接された状態が所定の期間維持された場合、ＮＦＣ通信と異なる他の取得手段によって通信設定情報を取得する旨を促す通知を行う。【選択図】図１
2018029222.tif 000002
【特許請求の範囲】
【請求項１】
近接された携帯端末に近距離無線通信によるデータの送信を実行する情報処理装置であって、
前記携帯端末が近接された状態が維持されているか否かを判別する第１の判別手段と、
前記近距離無線通信によるデータの送信を完了したか否かを判別する第２の判別手段と、
前記携帯端末が近接された状態が所定の期間維持され、且つ前記近距離無線通信によるデータの送信を完了しない場合、前記近距離無線通信と異なる他の取得手段の使用を促す通知を行う通知手段とを備えることを特徴とする情報処理装置。
【請求項２】
前記携帯端末から放射された電磁波によるＲＦ（Radio Frequency）フィールドの発生を検知したか否かを示す検知結果を取得し、
前記第１の判別手段は、前記検知結果に基づいて前記携帯端末が近接された状態が維持されているか否かを判別することを特徴とする請求項１記載の情報処理装置。
【請求項３】
前記情報処理装置が操作されていない場合に前記第１の判別手段による判別が行われることを特徴とする請求項１又は２記載の情報処理装置。
【請求項４】
前記他の取得手段は、ＱＲデータを用いてデータを取得することを特徴とする請求項１乃至３のいずれか１項に記載の情報処理装置。
【請求項５】
前記通知手段による通知を行うか否かをユーザに設定させる設定手段を更に備えることを特徴とする請求項１乃至４のいずれか１項に記載の情報処理装置。
【請求項６】
前記設定手段は、前記携帯端末が近接された状態が所定の期間維持され、且つ前記近距離無線通信によるデータの送信を完了しないと判別されたことに応じて前記他の取得手段を使用するか否かを設定させることを特徴とする請求項５記載の情報処理装置。
【請求項７】
近接された携帯端末に近距離無線通信によるデータの送信を実行する情報処理装置の制御方法であって、
前記携帯端末が近接された状態が維持されているか否かを判別する第１の判別ステップと、
前記近距離無線通信によるデータの送信を完了したか否かを判別する第２の判別ステップと、
前記携帯端末が近接された状態が所定の期間維持され、且つ前記近距離無線通信によるデータの送信を完了しない場合、前記近距離無線通信と異なる他の取得手段の使用を促す通知を行う通知ステップとを有することを特徴とする情報処理装置の制御方法。
【請求項８】
近接された携帯端末に近距離無線通信によるデータの送信を実行する情報処理装置の制御方法をコンピュータに実行させるプログラムであって、
前記情報処理装置の制御方法は、
前記携帯端末が近接された状態が維持されているか否かを判別する第１の判別ステップと、
前記近距離無線通信によるデータの送信を完了したか否かを判別する第２の判別ステップと、
前記携帯端末が近接された状態が所定の期間維持され、且つ前記近距離無線通信によるデータの送信を完了しない場合、前記近距離無線通信と異なる他の取得手段の使用を促す通知を行う通知ステップとを有することを特徴とするプログラム。
【発明の詳細な説明】
【技術分野】
【０００１】
本発明は、情報処理装置及びその制御方法、並びにプログラムに関する。
【背景技術】
【０００２】
近距離無線通信、例えば、ＮＦＣ（Near Field Communication）規格に準拠する近距離無線通信（以下、「ＮＦＣ通信」という。）を行う情報処理装置としてのＭＦＰが知られている。ＭＦＰは、ＮＦＣ通信を行うためのＮＦＣタグを備え、ＮＦＣ通信可能な装置、例えば、携帯端末がＮＦＣタグに近接すると、当該携帯端末とＮＦＣ通信を行う。ＮＦＣ通信では、携帯端末から変調された電磁波が放射され、ＭＦＰは放射された電磁波を復調してＮＦＣ通信の実行を要求するコマンド等を取得する（例えば、特許文献１参照）。また、ＭＦＰは、携帯端末から放射された電磁波によって発生した電磁場であるＲＦ（Radio Frequency）フィールドを検知し、携帯端末とＮＦＣ通信を開始するタイミングを制御する（例えば、特許文献２参照）。
【０００３】
ところで、ＭＦＰはＮＦＣ通信より高速な無線ＬＡＮ通信も実行可能であり、無線ＬＡＮ通信を行うための当該ＭＦＰのＳＳＩＤ、ＰＡＳＳＫＥＹ、及びＩＰアドレス等の通信設定情報をＮＦＣタグに格納している。携帯端末は、ＭＦＰと無線ＬＡＮ通信を実行するために、ＮＦＣ通信によってＭＦＰのＮＦＣタグから通信設定情報を取得し、該通信設定情報を設定する。
【先行技術文献】
【特許文献】
【０００４】
【特許文献１】特開平１０−１３３１２号公報
【特許文献２】特開２００５−１６８０６９号公報
【発明の概要】
【発明が解決しようとする課題】
【０００５】
しかしながら、ＭＦＰはＮＦＣ通信によって通信設定情報を携帯端末に送信する処理を行う際にＮＦＣ通信の通信不良が発生すると、通信設定情報を携帯端末に送信することができず、当該処理の実行において遅滞が発生するという問題が生じる。
【０００６】
本発明の目的は、近距離無線通信の通信不良に起因する処理の遅滞の発生を回避することができる情報処理装置及びその制御方法、並びにプログラムを提供することにある。
【課題を解決するための手段】
【０００７】
上記目的を達成するために、本発明の情報処理装置は、近接された携帯端末に近距離無線通信によるデータの送信を実行する情報処理装置であって、前記携帯端末が近接された状態が維持されているか否かを判別する第１の判別手段と、前記近距離無線通信によるデータの送信を完了したか否かを判別する第２の判別手段と、前記携帯端末が近接された状態が所定の期間維持され、且つ前記近距離無線通信によるデータの送信を完了しない場合、前記近距離無線通信と異なる他の取得手段の使用を促す通知を行う通知手段とを備えることを特徴とする。
【発明の効果】
【０００８】
本発明によれば、近距離無線通信の通信不良に起因する処理の遅滞の発生を回避することができる。
【図面の簡単な説明】
【０００９】
【図１】本発明の実施の形態に係る情報処理装置としてのＭＦＰの正面図である。
【図２】図１のＭＦＰの構成を概略的に示すブロック図である。
【図３】図１のＮＦＣタグの構成を概略的に示すブロック図である。
【図４】図１のＭＦＰ及び携帯端末間のＮＦＣ通信の動作を説明するための図である。
【図５】図１のＭＦＰで実行される表示処理の手順を示すフローチャートである。
【図６】図２の表示部に表示される画面の一例を示す図である。
【図７】図５の表示処理の第１の変形例の手順を示すフローチャートである。
【図８】図５の表示処理の第２の変形例の手順を示すフローチャートである。
【図９】図２の表示部に表示される画面の一例を示す図である。
【発明を実施するための形態】
【００１０】
以下、本発明の実施の形態を図面を参照しながら詳述する。
【００１１】
本実施の形態では、情報処理装置としてのＭＦＰに本発明を適用した場合について説明するが、本発明の適用先はＭＦＰに限られず、例えば、ＮＦＣ通信可能な情報処理装置であれば本発明を適用することができる。
【００１２】
図１は、本発明の実施の形態に係る情報処理装置としてのＭＦＰ１０１の正面図である。
【００１３】
ＭＦＰ１０１はコピー、スキャン、及びＦＡＸ通信等の各ジョブを実行する。また、ＭＦＰ１０１はＮＦＣタグ１０２を備え、ＮＦＣタグ１０２に近接された携帯端末１０３等とＮＦＣ通信を行う。ＮＦＣタグ１０２はＲＦＩＤ（Radio Frequency Identification）用ＩＣで構成され、ＮＦＣタグデータを格納する。ＮＦＣタグデータはＮＦＣ通信より高速な無線ＬＡＮ通信を行うための通信設定情報、例えば、ＭＦＰのＳＳＩＤ、ＰＡＳＳＫＥＹ、及びＩＰアドレスを含む。ＮＦＣタグ１０２はＮＦＣ通信可能な携帯端末１０３等が近接され、当該携帯端末１０３から通信設定情報の送信を要求するコマンドを受け付けると、ＮＦＣ通信によって通信設定情報を携帯端末１０３に送信する。ＮＦＣタグ１０２の構成については後述する。携帯端末１０３はＮＦＣ通信可能な装置であり、ＭＦＰ１０１からＮＦＣ通信によって通信設定情報を取得する際に電磁波を所定の間隔でＭＦＰ１０１に放射する。
【００１４】
図２は、図１のＭＦＰ１０１の構成を概略的に示すブロック図である。
【００１５】
図２において、ＭＦＰ１０１は、ＮＦＣタグ１０２の他に、制御部２００、記憶部２０４、操作部２０５、無線ＬＡＮ通信部２０９、読取部２１０、印刷処理部２１１、及びＱＲコード(登録商標)生成部２１２を備える。制御部２００は、ＮＦＣタグ１０２、記憶部２０４、操作部２０５、無線ＬＡＮ通信部２０９、読取部２１０、印刷処理部２１１、及びＱＲコード生成部２１２のそれぞれと接続されている。制御部２００は、ＣＰＵ２０１、メモリ２０２、及びタイマ２０３を備え、操作部２０５は、操作入力部２０６、表示部２０７、及び操作音発生部２０８を備える。
【００１６】
制御部２００はＭＦＰ１０１全体を統括的に制御する。ＣＰＵ２０１は記憶部２０４に記憶されたプログラムを実行し、制御部２００に接続された各構成要素を制御する。メモリ２０２はＣＰＵ２０１の作業領域として用いられ、また、メモリ２０２は各データの一時格納領域として用いられる。タイマ２０３は制御部２００で実行される各処理の計時を行う。記憶部２０４はＭＦＰ１０１の各設定情報やＣＰＵ２０１によって実行されるプログラム等を記憶する。操作部２０５はＭＦＰ１０１のユーザインターフェースであり、操作入力部２０６の操作によって入力された入力情報を受け付ける。また、操作部２０５は液晶パネル等で構成された表示部２０７にＭＦＰ１０１の各情報を表示する。さらに、操作部２０５は操作音発生部２０８によって各操作に応じた操作音を出力する。
【００１７】
無線ＬＡＮ通信部２０９は、該無線ＬＡＮ通信部２０９自身が無線ＬＡＮ通信を行う際のアクセスポイントとして動作可能であり、他のアクセスポイントを介すことなく、携帯端末１０３等と直接無線ＬＡＮ通信を行う。読取部２１０は図示しない原稿台に配置された原稿を読み取って画像データを生成する。印刷処理部２１１は読取部２１０等で生成された画像データに基づいて用紙に印刷を行う。ＱＲコード生成部２１２は設定されたデータ、例えば、ＮＦＣタグデータをエンコードして当該ＮＦＣタグデータのＱＲコード画像を生成する。生成されたＱＲコード画像はＣＰＵ２０１の制御により、携帯端末１０３等で読み取り可能に表示部２０７に表示される。
【００１８】
図３は、図１のＮＦＣタグ１０２の構成を概略的に示すブロック図である。
【００１９】
図３において、ＮＦＣタグ１０２は、ＮＦＣ制御部３０１、メモリ３０３、ＲＦ（Radio Frequency）制御部３０４、ＲＦＩ／Ｆ３０５、ＲＦフィールド検知部３０６、及びループアンテナ３０７を備える。ＮＦＣ制御部３０１はメモリ３０３、ＲＦ制御部３０４、及びＲＦＩ／Ｆ３０５のそれぞれと接続され、ＲＦ制御部３０４はＲＦＩ／Ｆ３０５と接続され、ＲＦＩ／Ｆ３０５はＲＦフィールド検知部３０６及びループアンテナ３０７と接続されている。ＮＦＣ制御部３０１は割り込み信号生成部３０２を備える。
【００２０】
ＮＦＣタグ１０２はＮＦＣ通信可能な携帯端末１０３から電磁波を受信すると、携帯端末１０３と電磁結合し、当該電磁結合によって生じる起電力を動力源として動作する。ＮＦＣ制御部３０１は制御部２００とデータ通信を行い、ＮＦＣタグ１０２全体を制御する。割り込み信号生成部３０２は、メモリ３０３に格納されたＮＦＣタグデータが携帯端末１０３に送信されると、ＮＦＣタグデータが送信された旨を示す割り込み信号を生成し、当該割り込み信号を制御部２００に出力する。メモリ３０３は不揮発性メモリであり、ＮＦＣタグデータを格納する。ＲＦ制御部３０４は携帯端末１０３等から受信された電磁波を電気信号に復調し、復調された電気信号を解析し、該電気信号が示すコマンドのレスポンスとなる電気信号を変調する。ＲＦＩ／Ｆ３０５はＮＦＣ通信における電磁波の放射及び受信の制御を行う。ＲＦフィールド検知部３０６は携帯端末１０３等から放射された電磁波によって発生した電磁場であるＲＦフィールドを検知し、検知した結果を制御部２００に出力する。ループアンテナ３０７は、ループコイル状を呈し、携帯端末１０３等とＮＦＣ通信を行うためのアンテナである。
【００２１】
次に、ＭＦＰ１０１及び携帯端末１０３の間のＮＦＣ通信の動作について説明する。一例として、携帯端末１０３がＮＦＣ通信によってＭＦＰ１０１から通信設定情報を取得する場合を前提とする。
【００２２】
ユーザが携帯端末１０３にＮＦＣ通信の実行指示を行うと、携帯端末１０３は該携帯端末１０３に設けられる図４（ａ）のＮＦＣ Ｒ／Ｗ部４０１により、通信設定情報の送信を要求するコマンドを電磁波に変調する。次いで、携帯端末１０３は変調された電磁波を予め設定された所定の間隔で放射する。その後、ユーザが携帯端末１０３をＮＦＣタグ１０２にＮＦＣ通信可能な所定の距離まで近付ける（近接する）と、ＮＦＣタグ１０２のループアンテナ３０７が携帯端末１０３から電磁波を受信する。
【００２３】
ＭＦＰ１０１では、ループアンテナ３０７による電磁波の受信に応じてＮＦＣタグ１０２が携帯端末１０３と電磁結合する。その後、ＲＦフィールド検知部３０６は、当該電磁結合によって生じる起電力を検知すると、ＲＦフィールドが発生したと判別し、制御部２００にＲＦフィールドの発生状況を示す図４（ｂ）の検知結果信号を出力する。ここで、ＲＦフィールド検知部３０６は上記電磁結合によって生じる起電力を検知しないとき、ＲＦフィールドの発生を検知しない旨を示すＬｏｗレベルの検知結果信号を制御部２００に出力する。また、ＲＦフィールド検知部３０６は上記電磁結合によって生じる起電力を検知したとき、ＲＦフィールドの発生を検知した旨を示すＨｉｇｈレベルの検知結果信号を制御部２００に出力する。制御部２００は、検知結果信号がＬｏｗレベルからＨｉｇｈレベルへ遷移したことを検知すると、ＮＦＣ通信可能な装置、例えば、携帯端末１０３がＮＦＣタグ１０２に近接したと判別する。
【００２４】
次いで、ＭＦＰ１０１では、ＲＦ制御部３０４が受信された電磁波を復調してコマンドを解析し、解析結果に応じてＮＦＣタグデータを電磁波に変調し、当該コマンドのレスポンスとして該電磁波を携帯端末１０３に放射する。携帯端末１０３に電磁波が放射されると、割り込み信号生成部３０２がＮＦＣタグデータの送信を完了した旨を示す割り込み信号を制御部２００に送信する。
【００２５】
携帯端末１０３は、ＭＦＰ１０１から電磁波を受信すると、当該電磁波を復調してＮＦＣタグデータを解析し、ＮＦＣタグデータに含まれる通信設定情報を取得し、該通信設定情報を設定する。これにより、ＭＦＰ１０１及び携帯端末１０３の間で無線ＬＡＮ通信が実行可能となる。
【００２６】
図５は、図１のＭＦＰ１０１で実行される表示処理の手順を示すフローチャートである。
【００２７】
図５の処理は、ＣＰＵ２０１が記憶部２０４に記憶されたプログラムを実行することによって行われ、ユーザの操作部２０５の操作等によってＮＦＣ通信による通信設定情報の送信指示が行われたことを前提とする。
【００２８】
図５において、まず、ＣＰＵ２０１は、図６（ａ）の操作画面６００を表示部２０７に表示する（ステップＳ５０１）。操作画面６００は、ＮＦＣ通信可能な装置をＮＦＣタグ１０２に近付けることを促すメッセージ６０１を含む。次いで、ＣＰＵ２０１は検知結果信号がＨｉｇｈレベルに遷移、つまり、携帯端末１０３がＮＦＣタグ１０２に近接したか否かを判別する（ステップＳ５０２）。ＣＰＵ２０１は携帯端末１０３がＮＦＣタグ１０２に近接するまで待機し、携帯端末１０３がＮＦＣタグ１０２に近接すると（ステップＳ５０２でＹＥＳ）、タイマ２０３による計時を開始する（ステップＳ５０３）。次いで、ＣＰＵ２０１は、携帯端末１０３が近接された状態が維持されているか否かを判別する（ステップＳ５０４）。ステップＳ５０４では、例えば、図４（ｄ）のように、検知結果信号において、所定の間隔、具体的に、携帯端末１０３が電磁波を放射する間隔と同じ間隔でＬｏｗレベルからＨｉｇｈレベルへの遷移が検知された場合、ＣＰＵ２０１は携帯端末１０３が近接された状態が維持されていると判別する。一方、図４（ｃ）のように、検知結果信号において、ＬｏｗレベルからＨｉｇｈレベルへの遷移が途中から検知されなくなった場合、ＣＰＵ２０１は携帯端末１０３が近接された状態が維持されていないと判別する。すなわち、本実施の形態では、検知結果信号から、携帯端末１０３が近接されているか否かの情報の他に、携帯端末１０３が近接された状態が維持されているか否かの情報を取得可能である。
【００２９】
ステップＳ５０４の判別の結果、携帯端末１０３が近接された状態が維持されていないとき、ＣＰＵ２０１は本処理を終了する。一方、ステップＳ５０４の判別の結果、携帯端末１０３が近接された状態が維持されているとき、ＣＰＵ２０１は割り込み信号生成部３０２からＮＦＣタグデータの送信を完了した旨を示す割りこみ信号を受信したか否かを判別する（ステップＳ５０５）。
【００３０】
ステップＳ５０５の判別の結果、上記割りこみ信号を受信したとき、ＣＰＵ２０１は本処理を終了する。一方、ステップＳ５０５の判別の結果、上記割りこみ信号を受信しないとき、ＣＰＵ２０１はステップＳ５０３で計時を開始してから所定の期間が経過したか否かを判別する（ステップＳ５０６）。所定の期間は図５の処理が開始される前に予め設定されている。
【００３１】
ステップＳ５０６の判別の結果、所定の期間が経過しないとき、ＣＰＵ２０１はステップＳ５０４の処理に戻る。一方、ステップＳ５０６の判別の結果、所定の期間が経過したとき、ＣＰＵ２０１は図６（ｂ）の設定画面６０２の操作によって予め設定された誘導機能の設定情報を確認する。本実施の形態のＭＦＰ１０１は、ＮＦＣ通信において通信不良等が発生し、ＮＦＣ通信によるデータ通信の実行が困難である場合にＮＦＣ通信と異なる他の取得手段の使用を促す誘導機能を備える。ユーザは設定画面６０２を操作して当該誘導機能を使用するか否かを予め設定可能である。設定画面６０２は操作ボタン６０３，６０４を備える。ユーザによって操作ボタン６０３が選択されると、誘導機能を使用する旨が設定され、また、ユーザによって操作ボタン６０４が選択されると、誘導機能を使用しない旨が設定される。設定された誘導機能の設定情報は記憶部２０４等に記憶される。次いで、ＣＰＵ２０１は当該誘導機能の設定情報に基づいて誘導機能を使用する旨が設定されているか否かを判別する（ステップＳ５０７）。
【００３２】
ステップＳ５０７の判別の結果、誘導機能を使用しない旨が設定されているとき、ＣＰＵ２０１はステップＳ５０２の処理に戻る。一方、ステップＳ５０７の判別の結果、誘導機能を使用する旨が設定されているとき、ＣＰＵ２０１は操作音発生部２０８によって警告音を出力する（ステップＳ５０８）。次いで、ＣＰＵ２０１はＱＲコードを含む図６（ｃ）の操作画面６０５を表示部２０７に表示する（ステップＳ５０９）。操作画面６０５はＱＲコードを読み取る旨を促すメッセージ６０６及び通信設定情報を含むＱＲコード６０７を備える。その後、ＣＰＵ２０１は本処理を終了する。ユーザはＭＦＰ１０１の表示部２０７に表示された操作画面６０５のＱＲコード６０７を携帯端末１０３によって読み取り、携帯端末１０３は読み取ったＱＲコード６０７から通信設定情報を取得して当該通信設定情報を設定する。
【００３３】
上述した図５の処理によれば、携帯端末１０３が近接された状態が所定の期間維持された場合、ＮＦＣ通信と異なる他の取得手段によって通信設定情報を取得する旨を促す通知が行われる。すなわち、ＮＦＣ通信によって通信設定情報を通信する際にＮＦＣ通信において通信不良が発生しても、ＮＦＣ通信の通信不良が解消されるまで待機する必要が無い。これにより、ＮＦＣ通信の通信不良に起因する処理の遅滞の発生を回避することができる。
【００３４】
また、上述した図５の処理では、ＲＦフィールドの発生状況を示す検知結果信号に基づいて携帯端末１０３がＮＦＣタグ１０２に近接された状態が維持されているか否かが判別される。これにより、携帯端末１０３がＮＦＣタグ１０２に近接された状態が維持されているか否かを確実に判別することができる。
【００３５】
また、上述した図５の処理では、他の取得手段はＱＲデータを用いて通信設定情報を取得することであるので、ＮＦＣ通信において通信不良が発生しているか否かに関わらず、携帯端末１０３が通信設定情報を取得することができる。
【００３６】
さらに、上述した図５の処理では、誘導機能を使用するか否かを設定画面６０２によってユーザに設定させる。これにより、誘導機能の使用において、ユーザの意図を反映させることができ、もって、誘導機能を使い易くすることができる。
【００３７】
以上、本発明について、上述した実施の形態を用いて説明したが、本発明は上述した実施の形態に限定されるものではない。
【００３８】
例えば、操作部２０５の操作が行われていない場合にタイマ２０３による計時を開始しても良い。
【００３９】
図７は、図５の表示処理の第１の変形例の手順を示すフローチャートである。
【００４０】
図７の処理は、ＣＰＵ２０１が記憶部２０４に記憶されたプログラムを実行することによって行われ、ユーザの操作部２０５の操作等によってＮＦＣ通信による通信設定情報の送信指示が行われたことを前提とする。
【００４１】
ここで、例えば、ユーザが表示部２０７に表示された一の設定画面の設定操作中に、ユーザが気付かないうちに携帯端末１０３がＮＦＣタグ１０２に誤って近接し、所定の期間が経過した場合、表示部２０７の表示が一の設定画面から操作画面６０５に切り替わり、ユーザの一の設定画面の設定操作が阻害されてしまう。
【００４２】
これに対応して、本実施の形態では、操作部２０５の操作が行われていない場合にタイマ２０３による計時を開始する。
【００４３】
図７において、まず、ＣＰＵ２０１は上述したステップＳ５０１，Ｓ５０２の処理を行う。携帯端末１０３が近接されると（ステップＳ５０２でＹＥＳ）、ＣＰＵ２０１は操作入力部２０６の操作が行われているか否かを判別する（ステップＳ７０１）。
【００４４】
ステップＳ７０１の判別の結果、操作入力部２０６の操作が行われているとき、ＣＰＵ２０１はステップＳ５０２の処理に戻る。すなわち、本実施の形態では、ユーザによる操作部２０５の操作中に表示部２０７に操作画面６０５が表示されない。
【００４５】
ステップＳ７０１の判別の結果、操作入力部２０６の操作が行われていないとき、ＣＰＵ２０１は上述したステップＳ５０３以降の処理を行う。
【００４６】
上述した図７の処理では、操作部２０５の操作が行われていない場合にタイマ２０３による計時を開始する。すなわち、ユーザによる操作部２０５の操作中には、少なくとも表示部２０７に操作画面６０５が表示されない。これにより、一の設定画面の設定操作中に表示部２０７の表示が一の設定画面から操作画面６０５に切り替わることに起因してユーザの一の設定画面の設定操作を阻害する事態を回避することができる。
【００４７】
さらに、上述した本実施の形態では、ステップＳ５０６において、携帯端末１０３が近接された状態が所定の期間維持され、且つＮＦＣ通信によるデータの送信を完了しないと判別されたことに応じてＱＲコードを使用するか否かをユーザに設定させても良い。
【００４８】
図８は、図５の表示処理の第２の変形例の手順を示すフローチャートである。
【００４９】
図８の処理は、ＣＰＵ２０１が記憶部２０４に記憶されたプログラムを実行することによって行われ、ユーザの操作部２０５の操作等によってＮＦＣ通信による通信設定情報の送信指示が行われたことを前提とする。
【００５０】
図８において、まず、ＣＰＵ２０１は上述したステップＳ５０１〜Ｓ５０６の処理を行う。
【００５１】
ステップＳ５０６の判別の結果、所定の期間が経過しないとき、ＣＰＵ２０１はステップＳ５０４の処理に戻る。一方、ステップＳ５０６の判別の結果、所定の期間が経過したとき、ＣＰＵ２０１は上述したステップＳ５０８の処理を行う。次いで、ＣＰＵ２０１はＱＲコードを使用するか否かを設定する図９の設定画面９００を表示部２０７に表示する（ステップＳ８０１）。設定画面９００は操作ボタン９０１，９０２を備える。ユーザによって操作ボタン９０１が選択されると、ＱＲコードを使用する旨が設定され、ユーザによって操作ボタン９０２が選択されると、ＱＲコードを使用しない旨が設定される。次いで、ＣＰＵ２０１は設定画面９００の操作によってＱＲコードを使用する旨が設定されたか否かを判別する（ステップＳ８０２）。
【００５２】
ステップＳ８０２の判別の結果、ＱＲコードを使用しない旨が設定されたとき、ＣＰＵ２０１はステップＳ５０２の処理に戻る。一方、ステップＳ８０２の判別の結果、ＱＲコードを使用する旨が設定されたとき、ＣＰＵ２０１は上述したステップＳ５０９以降の処理を行う。
【００５３】
上述した図８の処理では、携帯端末１０３が近接された状態が所定の期間維持され、且つＮＦＣ通信によるデータの送信を完了しないと判別されたことに応じてＱＲコードを使用するか否かをユーザに設定させる。これにより、ＱＲコードを使用するか否かを状況に応じて容易に設定することができる。
【００５４】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００５５】
１０１  ＭＦＰ
１０２  ＮＦＣタグ
１０３  携帯端末
２０３  タイマ
２０５  操作部
２０６  操作入力部
２０７  表示部
３０６  ＲＦフィールド検知部
６０２，９００  設定画面
６０５  操作画面
【図１】
2018029222.tif 000003
【図２】
2018029222.tif 000004
【図３】
2018029222.tif 000005
【図４】
2018029222.tif 000006
【図５】
2018029222.tif 000007
【図６】
2018029222.tif 000008
【図７】
2018029222.tif 000009
【図８】
2018029222.tif 000010
【図９】
2018029222.tif 000011